(57)【要約】【課題】スポーツシューズよりも持ち運びが容易でありながらスポーツシューズの装着時と同程度に快適な運動を行える履物を提供する。【解決手段】履物１Ｌは、被覆体１０Ｌと中敷体１１Ｌとを有する。被覆体１０Ｌの外面には、中敷体１１Ｌを載せる部分の裏側の部分の全面を覆うゴム素材１５Ｌと、被覆体１０Ｌの前端から被覆体１０Ｌの履き口１３Ｌの近傍に向かって延伸するゴム素材１６Ｌと、被覆体１０Ｌの後端から被覆体１０Ｌの履き口１３Ｌの近傍に向かって延伸するゴム素材１７Ｌとが設けられている。【選択図】図１
2014104298.tif 000002
【特許請求の範囲】
【請求項１】
伸縮性を有する生地を使用者の足の踝から下の部分の形状に合わせた袋状に縫製してなる被覆体と、
衝撃吸収素材を前記使用者の足の足裏の形状に合わせたシート状に成形してなる中敷体であって、前記被覆体内における当該被覆体と前記使用者の足の足裏との間に介挿される中敷体と
を具備し、
前記被覆体の外面に、前記中敷体を載せる部分の裏側の部分の全面を覆う第１のゴム素材と、前記被覆体の前端から前記被覆体の履き口の近傍に向かって延伸する第２のゴム素材と、前記被覆体の後端から前記被覆体の履き口の近傍に向かって延伸する第３のゴム素材とが設けられていることを特徴とする運動用履物。
【請求項２】
前記被覆体の外面に、前記第２のゴム素材の延伸方向と直交する棒状をなす第４のゴム素材が設けられていることを特徴とする請求項１に記載の運動用履物。
【請求項３】
前記第１、第２、第３、及び第４のゴム素材は、ＪＩＳＫ６２５３タイプＡデュロメータで計測される硬度が３０〜６０の範囲内のゴムからなることを特徴とする請求項２に記載の運動用履物。
【発明の詳細な説明】
【技術分野】
【０００１】
本発明は、運動時に着用する履物に関する。
【背景技術】
【０００２】
ランニングシューズやジョギングシューズと称される運動靴が広く普及している。この種の靴に関わる技術を開示した文献として、特許文献１がある。この文献１に開示されたランニングシューズは、シューズの踵部分に環状の固定ベルト係止部を設け、この固定ベルト係止部と使用者の足首の踝の上の部分に固定ベルトを巻回するものである。この技術によると、大勢の走者がひしめき合って走っている中で後続走者に踵を踏まれた場合でも、靴が足から脱けることがない。このため、この技術によると、後続走者に踵を踏まれて転倒し怪我をする、という事態の発生を防止することができる。
【先行技術文献】
【特許文献】
【０００３】
【特許文献１】特開２００３−９９０７号公報
【発明の概要】
【発明が解決しようとする課題】
【０００４】
ところで、ランニングなどの運動を日課としている者の中には、出張先や旅行先にも運動靴を持参してそこで体を動かしたい、という希望を持つ者も居る。しかしながら、従来のこの種の運動靴は嵩張るため、スーツケース等に入れた場合における占有スペースが大きくなってしまうという問題があった。
【０００５】
本発明は、スポーツシューズよりも持ち運びが容易でありながらスポーツシューズの装着時と同程度に快適な運動を行える履物を提供することを目的とする。
【課題を解決するための手段】
【０００６】
上記課題を解決するため、本発明は、伸縮性を有する生地を使用者の足の踝から下の部分の形状に合わせた袋状に縫製してなる被覆体と、衝撃吸収素材を前記使用者の足の足裏の形状に合わせたシート状に成形してなる中敷体であって、前記被覆体内における当該被覆体と前記使用者の足の足裏との間に介挿される中敷体とを具備し、前記被覆体の外面に、前記中敷体を載せる部分の裏側の部分の全面を覆う第１のゴム素材と、前記被覆体の前端から前記被覆体の履き口の近傍に向かって延伸する第２のゴム素材と、前記被覆体の後端から前記被覆体の履き口の近傍に向かって延伸する第３のゴム素材とが設けられていることを特徴とする運動用履物を提供する。
【０００７】
本発明の履物の被覆体は、伸縮性を有する生地とその外面の一部を覆うゴム素材とからなる。被覆体は、その先端を履き口に入れるようにして丸めることにより拳程度の大きさになる。また、履物の第１のゴム素材は、被覆体の外面における中敷体を載せる部分の裏側の部分の全面を覆っている。このため、使用者は、履物を足に装着して走る際に地面をしっかりと蹴って前進することができる。また、被覆体の外面には、被覆体の前端及び後端から被覆体の履き口の近傍に向かって延伸する第２及び第３のゴム素材が設けられている。このため、履物を足に装着して走る際に被覆体が左右に撚れて足が抜ける恐れがない。よって、本発明によると、スポーツシューズを持参し難い場所（例えば、出張先や旅行先など）に履物を持参し、スポーツシューズの装着時と同程度に快適な運動を行うことができる。
【図面の簡単な説明】
【０００８】
【図１】本発明の一実施形態である運動用履物の斜視図である。
【図２】図１における履物の内部と中敷体を示す図である。
【図３】図１における履物の被覆体を下方及び上方から見た図である。
【図４】図１における履物の被覆体を後方から見た図である。
【発明を実施するための形態】
【０００９】
以下、図面を参照しつつ本発明の実施形態について説明する。図１は、本発明の一実施形態である運動用履物１Ｌ及び１Ｒの斜視図である。履物１Ｌ及び１Ｒは、使用者がランニングやジムナスティック運動などの各種運動を行う際に使用者の左右の足に着用されるものである。
【００１０】
図２（Ａ）は、図１における履物１Ｌの内部を示す図である。図２（Ａ）に示すように、履物１Ｌは、被覆体１０Ｌと中敷体１１Ｌとを有する。図２（Ｂ）は、図２（Ａ）における中敷体１１Ｌを示す斜視図である。図２（Ｃ）は、図２（Ｂ）における中敷体１１Ｌを下方から見た図である。図３（Ａ）は、履物１Ｌの被覆体１０Ｌを上方から見た図である。図３（Ｂ）は、被覆体１０Ｌを下方から見た図である。図４は、被覆体１０Ｌを後方から見た図である。ここで、履物１Ｒの被覆体１０Ｒ及び中敷体１１Ｒは、履物１Ｌの被覆体１０Ｌ及び中敷体１１Ｌと鏡対称の構造をなしている。
【００１１】
被覆体１０Ｌは、撥水性と伸縮性とを併有するソックス生地（具体的には、綿又は絹を素材とする表糸とナイロン又はポリウレタンを素材とする裏糸とを編み込んでなる生地）を使用者の足の踝（くるぶし）から下の部分の形状に合わせた袋状に縫製したものである。また、中敷体１１Ｌは、衝撃吸収性を有する素材であるＥＶＡ（ethylene-vinyl acetate、エチレン酢酸ビニル）を使用者の足の足裏の形状に合わせたシート状に成形したものである。
【００１２】
図３（Ａ）及び図４に示すように、被覆体１０Ｌにおける後端側の上方には、履き口１３Ｌがある。この履き口１３Ｌは、環状の織布にゴム糸を織り込んだ伸縮帯１４Ｌにより形成されている。被覆体１０Ｌの外面には、ゴム素材１５Ｌ、１６Ｌ、１７Ｌ、及び１８Ｌ−ｋ（ｋ＝１〜３）が設けられている。
【００１３】
ゴム素材１５Ｌ、１６Ｌ、１７Ｌ、１８Ｌ−ｋ（ｋ＝１〜３）は、摂氏２０度においてＪＩＳＫ６２５３タイプＡデュロメータで計測される硬度が３０〜６０の範囲内のゴムからなる。より詳細に説明すると、ゴム素材１５Ｌは、被覆体１０Ｌの外面における中敷体１１Ｌを載せる底部４０Ｌ（図３（Ｃ））の裏側の全面を覆っている。ゴム素材１５Ｌの周縁ＥＤＧは被覆体１０Ｌの外面における底部４０Ｌの上方に及んでいる。被覆体１０Ｌの前端側におけるゴム素材１５Ｌに覆われた部分の幅（底部４０Ｌから前端側におけるゴム素材１５Ｌの周縁ＥＤＧまでの間の幅）は、被覆体１０Ｌの土踏まず側におけるゴム素材１５Ｌに覆われた部分の幅（底部４０Ｌから土踏まず側におけるゴム素材１５Ｌの周縁ＥＤＧまでの間の幅）よりも幅厚になっている。
【００１４】
ゴム素材１６Ｌは、被覆体１０Ｌの外面における前端から伸縮帯１４Ｌの近傍に向かって延伸している。ゴム素材１６Ｌの前端は横方向から見た形状が鈎状となるように湾曲している。ゴム素材１６Ｌの前端はゴム素材１５Ｌの縦溝３１Ｌ（図３（Ｂ））の前端と繋がっている。ゴム素材１６Ｌの後端（伸縮帯１４Ｌ側の端部）は略三日月状をなすようにして左右に拡がっている。ゴム素材１６Ｌにおける三日月状に拡がった部分は使用者の足の甲の丸みに合わせて内側に湾曲している。
【００１５】
ゴム素材１７Ｌは、被覆体１０Ｌの外面における後端から伸縮帯１４Ｌの近傍に向かって延伸している。ゴム素材１７Ｌの下端はゴム素材１５Ｌの縦溝３１Ｌ（図３（Ｂ））の後端と繋がっている。図４に示すように、このゴム素材１７Ｌの上端（伸縮帯１４Ｌ側の端部）は左右に拡がっている。ゴム素材１７Ｌの上端における左右に拡がった部分は使用者の足のアキレス腱の付け根の部分の丸みに合わせて内側に湾曲している。
【００１６】
ゴム素材１８Ｌ−ｋ（ｋ＝１〜３）の各々は棒状をなしている。ゴム素材１８Ｌ−ｋ（ｋ＝１〜３）のうちゴム素材１８Ｌ−３は、ゴム素材１６Ｌの後端から前端側に離れた位置を跨いで左右方向に延伸している。ゴム素材１８Ｌ−２は、ゴム素材１８Ｌ−３から前端側に離れた位置を跨いで左右方向に延伸している。ゴム素材１８Ｌ−１は、ゴム素材１８Ｌ−２から前端側に離れた位置を跨いで左右方向に延伸している。ゴム素材１８Ｌ−２の長さはゴム素材１８Ｌ−１の長さよりも長くなっている。ゴム素材１８Ｌ−３の長さはゴム素材１８−２の長さよりも長くなっている。ゴム素材１８Ｌ−ｋ（ｋ＝１〜３）は、使用者の足の甲の丸みに合わせて内側に湾曲している。
【００１７】
図３（Ｂ）に示すように、ゴム素材１５Ｌの下面には、縦溝３１Ｌ、横溝３２Ｌ−ｉ（ｉ＝１〜６）、３３Ｌ−ｉ（ｉ＝１〜６）が設けられている。縦溝３１Ｌは、ゴム素材１５Ｌの下面における前端及び後端間を一直線状に延伸している。横溝３２Ｌ−ｉ（ｉ＝１〜６）は、縦溝３１Ｌにおける前端から距離Ｗ１（例えば、Ｗ１＝２ｃｍ）ずつ後方に離れた各位置を基端として左斜め後ろ方向に延在している。縦溝３１Ｌと横溝３２Ｌ−ｉの交差角度θ２は４５度になっている。横溝３２Ｌ−ｉ（ｉ＝１〜６）の各々の先端はゴム素材１５Ｌの下面の縁に達している。
【００１８】
横溝３３Ｌ−ｉ（ｉ＝１〜６）は、縦溝３１Ｌにおける前端から距離Ｗ１ずつ後方に離れた各位置を基端として右斜め後ろ方向に延在している。縦溝３１Ｌと横溝３３Ｌ−ｉの交差角度θ３は４５度になっている。横溝３３Ｌ−ｉ（ｉ＝１〜６）の各々の先端はゴム素材１５Ｌの下面の縁に達している。
【００１９】
縦溝３１Ｌの深さ（例えば、１ｍｍ）は横溝３２Ｌ−ｉ（ｉ＝１〜６）及び３３Ｌ−ｉ（ｉ＝１〜６）の深さ（例えば、０．５ｍｍ）よりも深くなっている。縦溝３１Ｌ、横溝３２Ｌ−ｉ（ｉ＝１〜６）、３３Ｌ−ｉ（ｉ＝１〜６）における延伸方向と直交する方向の幅は同じ（例えば、５ｍｍ）になっている。
【００２０】
図３（Ｃ）は、図４のＣ−Ｃ’線断面図である。図３（Ｃ）に示すように、被覆体１０Ｌにおける中敷体１１Ｌを乗せる部分である底部４０Ｌには複数個のゴム製の凸部Ｓが形成されている。凸部Ｓは真円状をなしている。底部４０Ｌ上における隣接する凸部Ｓ間には同じ間隔があいている。これら凸部Ｓは底部４０Ｌから上方に向かって突出することにより底部４０Ｌ上に凹凸を形成するものである。
【００２１】
図２（Ｂ）に示すように、中敷体１１Ｌの表面５１Ｌにおける使用者の足の踵骨が乗る部分には裏面５２Ｌの側に窪んだ窪み部５３Ｌが設けられている。中敷体１１Ｌの表面５１Ｌにおける使用者の足の中足骨が乗る部分には裏面５２Ｌの側に窪んだ窪み部５４Ｌが設けられている。中敷体１１Ｌの表面５１Ｌにおける使用者の足の足指が載る部分には裏面５２Ｌの側に窪んだ窪み部５５Ｌが設けられている。
【００２２】
中敷体１１Ｌの表面５１Ｌから窪み部５３Ｌ、５４Ｌ、５５Ｌの底までの深さは５ｍｍになっている。また、図２（Ｃ）に示すように、中敷体１１Ｌの裏面５２Ｌは平らになっている。ここで、上述したように、履物１Ｌの中敷体１１Ｌと履物１Ｒの中敷体１１Ｒは鏡対称の構造をなしている。そして、被覆体１０Ｌ内の中敷体１１Ｌ及び被覆体１０Ｒ内の中敷体１１Ｒは、各々の表裏面を裏返した上で取り換えられるようになっている。
【００２３】
以上が、本実施形態の構成の詳細である。本実施形態によると、次の効果が得られる。
第１に、本実施形態の履物１Ｌの被覆体１０Ｌは、伸縮性を有する生地とその外面の一部を覆うゴム素材１５Ｌ、１６Ｌ、１７Ｌ、１８Ｌ−ｋ（ｋ＝１〜３）とからなる。また、履物１Ｒの被覆体１０Ｒは、伸縮性を有する生地とその外面の一部を覆うゴム素材１５Ｒ、１６Ｒ、１７Ｒ、１８Ｒ−ｋ（ｋ＝１〜３）とからなる。被覆体１０Ｌ（１０Ｒ）のゴム素材１５Ｌ、１６Ｌ、１７Ｌ、１８Ｌ−ｋ（ｋ＝１〜３）の硬度はスポーツシューズのソールなどに比べて柔らかくなっている（ＪＩＳＫ６２５３タイプＡデュロメータで計測される硬度が３０〜６０）。このため、被覆体１０Ｌ（１０Ｒ）は、その先端を履き口１３Ｌ（１３Ｒ）に入れるようにして丸めることができる。このようにして丸めた被覆体１０Ｌ（１０Ｒ）は、拳程度の大きさになり、持ち運びが容易である。また、履物１Ｌ（１Ｒ）のゴム素材１５Ｌ（１５Ｒ）は、被覆体１０Ｌ（１８Ｒ）の外面における中敷体１１Ｌ（１１Ｒ）を載せる部分４０Ｌ（４０Ｒ）の裏側の部分の全面を覆っている。このため、使用者は、履物１Ｌ及び１Ｒを足に装着して走る際に地面をしっかりと蹴って前進することができる。また、被覆体１０Ｌ（１０Ｒ）の外面には、被覆体１０Ｌ（１０Ｒ）の前端及び後端から被覆体１０Ｌ（１Ｒ）の履き口１３Ｌ（１３Ｒ）の近傍に向かって延伸するゴム素材１６Ｌ（１６Ｒ）及び１７Ｌ（１７Ｒ）が設けられている。このため、履物１Ｌ（１Ｒ）を左足（右足）に装着して走る際に被覆体１０Ｌ（１０Ｒ）の内面及び中敷体１１Ｌ（１１Ｒ）が左足（右足）にしっかりとフィットする。よって、本実施形態によると、スポーツシューズを持参し難い場所（出張先や旅行先など）に履物１Ｌ及び１０Ｒを持参し、スポーツシューズを装着するのと同程度に快適な運動を行うことができる。
【００２４】
第２に、本実施形態では、被覆体１０Ｌ（１０Ｒ）の外面におけるゴム素材１８Ｌ−ｋ（１８Ｒ−ｋ）は使用者の足の甲の丸みに合わせて内側に湾曲している。また、ゴム素材１６Ｌ（１６Ｒ）の後端（伸縮帯１４Ｌ（１４Ｒ）側の端部）が左右に拡がっており、この左右に拡がった部分が使用者の足の甲の丸みに合わせて内側に湾曲している。また、ゴム素材１７Ｌ（１７Ｒ）の上端（伸縮帯１４Ｌ（１４Ｒ）側の端部）が左右に拡がっており、この左右に拡がった部分は使用者の足のアキレス腱の付け根の部分の丸みに合わせて内側に湾曲している。このため、被覆体１０Ｌ（１０Ｒ）を使用者の左足（右足）に装着した場合に、左足（右足）の甲はゴム素材１８Ｌ−ｋ（１８Ｒ−ｋ）とゴム素材１６Ｌ（１６Ｒ）の後端における内側に湾曲した部分によりホールドされ、左足（右足）の踵はゴム素材１７Ｌ（１７Ｒ）における内側に湾曲した部分によりホールドされる。よって、使用者が側方への重心移動を伴う動き（例えば、横方向へのジャンプ）をしても被覆体１０Ｌ（１０Ｒ）はその方向に撚れない。従って、この種の運動を行った場合に被覆体１０Ｌ（１０Ｒ）から左足（右足）が抜けて捻挫をする、という事態が発生し難くなる。
【００２５】
第３に、本実施形態の履物１Ｌの被覆体１０Ｌ（１０Ｒ）は、生地（布）の外面の一部にゴム素材１５Ｌ、１６Ｌ、１７Ｌ、１８Ｌ−ｋ（ｋ＝１〜３）を貼着したものであるから、洗濯機に入れて水洗いし、生地の部分の汚れを簡単に落とすことができる。
【００２６】
第４に、本実施形態では、被覆体１０Ｌ（１０Ｒ）の内面における中敷体１１Ｌ（１１Ｒ）を載せる部分である底部４０Ｌ（４０Ｒ）に凹凸が形成されている。よって、本実施形態によると、中敷体１１Ｌ（１１Ｒ）のグリップ力をより高くすることができる。
【００２７】
第５に、本実施形態では、中敷体１１Ｌ（１１Ｒ）がＥＶＡにより形成されている。ここで、ＥＶＡは、他の同種の樹脂よりも柔軟でソフトな感触を持った素材であることが知られている。よって、本実施形態によると、他の同種の素材を中敷体１１Ｌ（１１Ｒ）とするものよりもランニング中の快適さを高めることができる。
【００２８】
第６に、本実施形態では、中敷体１１Ｌ（１１Ｒ）の裏面５２Ｌ（５２Ｒ）は平面になっており、中敷体１１Ｌ（１１Ｒ）の表面５１Ｌ（５２Ｒ）における使用者の足の踵骨が載る部分、使用者の足の中足骨が載る部分、及び使用者の足の足指が載る部分は凹凸面になっている。そして、被覆体１０Ｌ内の中敷体１１Ｌと被覆体１０Ｒ内の中敷体１１Ｒを各々の表裏面を裏返した上で取り換えられるように構成されている。ここで、履物１Ｌ及び１Ｒの使用者の中には、中敷体１１Ｌ（１１Ｒ）における左足（右足）を乗せる面が平らな方が動き易い、という者も居れば、中敷体１１Ｌ（１１Ｒ）における左足（右足）を乗せる面が足裏の起伏に合った凹みを有している方が動き易い、という者も居る。また、跳躍を伴う運動（例えば、ランニング）は左足（右足）を乗せる面が平らな方がやり易く、跳躍を伴わない運動（例えば、ジムナスティック運動）は左足（右足）を乗せる面が足裏の起伏に合った凹みを有して方がやり易い、という者も居る。本実施形態によると、使用者は、中敷体１１Ｌ（１１Ｌ）のフィット感を自身の嗜好に合わせて選択し、より快適な運動を行うことができる。
【００２９】
第７に、本実施形態では、ゴム素材１５Ｌ（１５Ｒ）における前端と後端の間に溝３１Ｌ（３１Ｒ）が形成されている。よって、本実施形態によると、履物１Ｌ（１Ｒ）を足に装着して走行する際における直進性をより高めることができる。
【００３０】
第８に、本実施形態では、被覆体１０Ｌ（１０Ｒ）の履き口１３Ｌ（１３Ｒ）に、ゴム糸を織り込んだ伸縮帯１４Ｌ（１４Ｒ）が設けられている。よって、本実施形態によると、被覆体１０Ｌ（１０Ｒ）から足が抜け難くなる。
【００３１】
以上、本発明の一実施形態について説明したが、かかる実施形態に以下の変形を加えてもよい。
（１）上記実施形態における底部４０Ｌ上の凸部Ｓは真円状をなしていた。しかし、これらの凸部Ｓをストライプ状の凸みに置き換えてもよい。
（２）上記実施形態において、ゴム素材１８Ｌ−ｋの個数は３個であった。しかし、ゴム素材１８Ｌ−ｋの個数を１〜２個にしてもよいし、５個以上にしてもよい。
（３）上記実施形態では、ゴム素材１５Ｌの下面に縦溝３１Ｌと横溝３２Ｌ−ｉ（ｉ＝１〜６）、３３Ｌ−ｉ（ｉ＝１〜６）が設けられていた。しかし、ゴム素材１５Ｌの下面に縦溝３１Ｌだけを設けてもよい。
【符号の説明】
【００３２】
１…履物、１０…被覆体、１１…中敷体、１３…履き口、１４…伸縮帯、１５、１６、１７、１８…ゴム素材、３１…縦溝、３２、３３…横溝、４０…底部、５１…表面、５２…裏面、５３、５４、５５…窪み部。
【図２】
2014104298.tif 000003
【図３】
2014104298.tif 000004
【図４】
2014104298.tif 000005
【図１】
2014104298.tif 000006